(57)【要約】【課題】  転動速度や内部に設けた錘の位置によって、誰でもが簡単に転動方向及び転動速度を変化させることができ、ゲーム盤にボールの転動方向を変化させるための磁石装置を付加する必要がないゲーム盤用ボールを提供する。【解決手段】  ゲーム盤用ボール１は、球状のボール本体２と、ボール本体２内の中心から偏倚させた位置に設けられた錘５とからなる。ゲーム盤用ボール１は、転動方向に対して錘５を左側に位置させてから転動させると、左側に向きを変えながら転動し、転動方向に対して錘５を右側に位置させてから転動させると、右側に向きを変えながら転動し、転動方向に対して錘５を略中央に位置させてから転動させると、略真っ直ぐに転動するが、転動速度が変化する。【選択図】        図１
2012090797.tif 000002
【特許請求の範囲】
【請求項１】
球状のボール本体と、
ボール本体内の中心から偏倚させた位置に設けられた錘と、
からなることを特徴とするゲーム盤用ボール。
【請求項２】
ボール本体は、第１の半球体と第２の半球体に二分割され、
第１の半球体と第２の半球体には、互いに接合する接合面が形成され、
第１の半球体の接合面には、錘を収容する収容凹部が形成され、
第２の半球体の接合面には、前記錘を収容した収容凹部に嵌合して錘の動きを規制する嵌合凸部が形成されていることを特徴とする請求項１記載のゲーム盤用ボール。
【請求項３】
前記錘は球状に形成され、
収容凹部の底部には、錘の一方の外周面と当接する略半球面状の第１の当接凹部が形成され、
嵌合凸部の先端には、錘の他方の外周面と当接する略半球面状の第２の当接凹部が形成されていることを特徴とする請求項２記載のゲーム盤用ボール。
【発明の詳細な説明】
【技術分野】
【０００１】
本発明は、野球ゲーム盤、ボーリングゲーム盤に使用されるゲーム盤用ボールに関する。
【背景技術】
【０００２】
従来、野球ゲーム盤、ボーリングゲーム盤等のゲーム盤に使用されるボールは、強磁性体により略真球体状に形成されている。当該ゲーム盤用ボールは、これ自体で転動方向を変化させることができないので、磁石で誘導させて変化させるようにしている（例えば、特許文献１）。
【先行技術文献】
【特許文献】
【０００３】
【特許文献１】実開平７−３１０８８号公報
【発明の概要】
【発明が解決しようとする課題】
【０００４】
上記した従来のゲーム盤用ボールは、このボールの動きを変化させるため、これを使用するゲーム盤に電磁石を設けたり、永久磁石を設けたりしなければならず、ゲーム盤のコストが高くなるという問題点があった。また、ゲーム盤の肉厚を通して、磁石の磁力を影響させるため、ゲーム盤の肉厚を薄くする二重構造を必要としたり、逆にゲーム盤の肉厚を変えずに強い磁力の磁石を採用する等、ゲーム盤を複雑な構成にしなければならないという問題点があった。さらにまた、上記した従来のゲーム盤用ボールは、変化させるときのタイミングを電磁石の駆動又は永久磁石の動作によって行うため、誰でもが簡単には行うことができないという問題点があった。さらに、従来のゲーム盤用ボールは、これを使用するゲーム盤の裏側に磁石が配置されているので、磁石の位置を確認することができず、規則的に同じ動きをさせることが困難であるという問題点があった。
【０００５】
本願発明は、上記問題点に鑑み案出したものであって、転動速度や内部に設けた錘の位置によって、誰でもが簡単に転動方向及び転動速度を変化させることができ、ゲーム盤にボールの転動方向を変化させるための磁石装置を付加する必要がないゲーム盤用ボールを提供することを目的とする。
【課題を解決するための手段】
【０００６】
本願請求項１記載のゲーム盤用ボールは、上記目的を達成するため、球状のボール本体と、ボール本体内の中心から偏倚させた位置に設けられた錘とからなることを特徴とする。
【０００７】
本願請求項２記載のゲーム盤用ボールは、上記目的を達成するため、ボール本体は、第１の半球体と第２の半球体に二分割され、第１の半球体と第２の半球体には、互いに接合する接合面が形成され、第１の半球体の接合面には、錘を収容する収容凹部が形成され、第２の半球体の接合面には、前記錘を収容した収容凹部に嵌合して錘の動きを規制する嵌合凸部が形成されていることを特徴とする。
【０００８】
本願請求項３記載のゲーム盤用ボールは、上記目的を達成するため、前記錘は球状に形成され、収容凹部の底部には、錘の一方の外周面と当接する略半球面状の第１の当接凹部が形成され、嵌合凸部の先端には、錘の他方の外周面と当接する略半球面状の第２の当接凹部が形成されていることを特徴とする。
【発明の効果】
【０００９】
本願発明に係るゲーム盤用ボールは、球状のボール本体の中心から偏倚させた位置に錘が設けられているので、誰でもが簡単に転動方向及び転動速度を変化させ、様々の複雑な転動をさせることができるという効果がある。例えば、ゲーム盤用ボールは、転動方向に対して錘を左側に位置させてから転動させると、左側に向きを変えながら転動する。同様に、転動方向に対して錘を右側に位置させてから転動させると、右側に向きを変えながら転動する。また、ゲーム盤用ボールは、転動方向に対して錘を略中央に位置させてから転動させると、略真っ直ぐに転動するが、錘がボール本体の後側に位置するときは転動速度が遅くなり、錘がボール本体の前側に位置するときは転動速度が速くなるので、転動速度が変化する。このように、ゲーム盤用ボールは、錘の位置と転動速度を変えることにより、様々な転動を行わせることができ、野球ゲーム盤、ボーリングゲーム盤等のボールゲーム盤に利用することができるという効果がある。
【００１０】
本願発明に係るゲーム盤用ボールは、ボール本体が第１の半球体と第２の半球体に二分割され、第１の半球体と第２の半球体には、互いに接合する接合面が形成され、第１の半球体の接合面には、錘を収容する収容凹部が形成され、第２の半球体の接合面には、前記錘を収容した収容凹部に嵌合して錘の動きを規制する嵌合凸部が形成されている。本願発明に係るゲーム盤用ボールは、第１の半球体の収容凹部に設けた錘を第２の半球体に形成された嵌合凸部が接触して錘の動きを規制するので、ボール本体内で錘が固定され、遊戯者の思惑通りにコントロールすることができるという効果がある。
【００１１】
本願請発明に係るゲーム盤用ボールは、錘は球状に形成され、収容凹部の底部には、錘の一方の外周面と当接する略半球面状の第１の当接凹部が形成され、嵌合凸部の先端には、錘の他方の外周面と当接する略半球面状の第２の当接凹部が形成されているので、錘を面接触で規制し、錘を確実に固定することができるという効果がある。
【図面の簡単な説明】
【００１２】
【図１】本願発明に係るゲーム盤用ボールの一つの実施の形態を示す分解斜視図である。
【図２】図１のゲーム盤用ボールの分解断面図である。
【図３】図１のゲーム盤用ボールの断面図である。
【図４】図１のゲーム盤用ボールの使用形態を説明する説明図である。
【発明を実施するための形態】
【００１３】
ゲーム盤用ボール１は、図３に示すように、球状のボール本体２と、ボール本体２内の中心から偏倚させた位置に設けられた錘５とからなる。ゲーム盤用ボール１は、このような構成により、誰でもが簡単に転動方向及び転動速度を変化させ、様々の複雑な転動をさせることができる。即ち、図４（ａ）に示すように、ゲーム盤用ボール１は、転動方向に対して錘５を左側に位置させてから転動させると、左側に向きを変えながら転動し、図４（ｃ）に示すように、転動方向に対して錘５を右側に位置させてから転動させると、右側に向きを変えながら転動する。また、ゲーム盤用ボール１は、図４（ｂ）に示すように、転動方向に対して錘５を略中央に位置させてから転動させると、略真っ直ぐに転動するが、錘５がボール本体２の後側に位置するときは転動速度が遅くなり、錘５がボール本体２の前側に位置するときは転動速度が速くなるので、転動速度が変化する。このように、ゲーム盤用ボール１は、錘５の位置と転動速度を変えることにより、様々な転動を行わせることができ、野球ゲーム盤、ボーリングゲーム盤等のボールゲーム盤に利用することができる。
【００１４】
ゲーム盤用ボール１は、図１，２に示すように、ボール本体２が第１の半球体１１と第２の半球体２１に二分割されている。第１の半球体１１と第２の半球体２１には、互いに接合する接合面１２，２２が形成されている。第１の半球体１１の接合面１２には、錘５を収容する収容凹部１５が形成されている。第２の半球体２１の接合面２２には、前記錘５を収容した収容凹部１５に嵌合して錘５の動きを規制する嵌合凸部２５が形成されている。ゲーム盤用ボール１は、第１の半球体１１の収容凹部１５に設けた錘５を第２の半球体２１に形成された嵌合凸部２５が接触して錘５の動きを規制するので、ボール本体２内で錘５が固定され、遊戯者の思惑通りにコントロールすることができる。
【００１５】
また、前記錘５は球状に形成され、収容凹部１５の底部１７には、錘５の一方の外周面と当接する略半球面状の第１の当接凹部１８が形成され、嵌合凸部２５の先端２７には、錘５の他方の外周面と当接する略半球面状の第２の当接凹部２８が形成されている。ゲーム盤用ボール１は、錘５を面接触で規制し、錘５を確実に固定することができる。
【００１６】
さらにゲーム盤用ボール１について詳細に説明する。ゲーム盤用ボール１は、図３に示すように、略真球体状のボール本体２と、ボール本体２内の中心から偏倚させた位置に設けられた錘５とからなる。錘５は、ボール本体２より比重の高い金属によって略真球体状に形成されている。ボール本体２は、合成樹脂によって形成され、二分割された第１の半球体１１と第２の半球体２１とからなる。
【００１７】
図１，２に示すように、第１の半球体１１と第２の半球体２１には、互いに接合する接合面１２，２２が形成されている。第１の半球体１１の接合面１２は、略中央に錘５を収容する収容凹部１５が形成され、さらに収容凹部１５を挟んだ両側には係合穴部１３，１４が形成されている。収容凹部１５は、円軸状の収容孔部１６と、収容孔部１６の底部１７に形成され、前記錘５の外周面と当接する略半球面状の第１の当接凹部１８とからなる。
【００１８】
第２の半球体２１の接合面２２は、略中央に第１の半球体１１の収容凹部１５の収容孔部１６に嵌合する嵌合凸部２５が形成され、さらに嵌合凸部２５を挟んだ両側には係合突起２３，２４が形成されている。嵌合凸部２５の先端面２７には、前記錘５の外周面と当接する略半球面状の第２の当接凹部２８が形成されている。
【００１９】
ゲーム盤用ボール１は、次のように簡単に組み立てることができる。錘５は、第１の半球体１１の収容凹部１５に収容する。第２の半球体２１の嵌合凸部２５は、第１の半球体１１の収容凹部１５の収容孔部１６に嵌合する。第２の半球体２１の係合突起２３，２４は、第１の半球体１１の係合穴部１３，１４に係合させる。第２の半球体２１の接合面２２は、第１の半球体１１の接合面１２に接合させる。接合面２２と接合面１２の両方又は一方に接着剤を塗布しておき、接合と同時に固着させ、第２の半球体２１と第１の半球体１１を一体化させる。ゲーム盤用ボール１は、このようにして組み立てられ、収容凹部１５の第１の当接凹部１８と嵌合凸部２５の第２の当接凹部２８によって錘５が挟持され、錘５の動きが規制される。なお、錘５の位置は、第１の半球体１１と第２の半球体２１の色を変えたり、三角等の目印を付すことにより、視認できるようにしても構わない。
【００２０】
ゲーム盤用ボール１は、図４（ａ）に示すように、転動方向に対して錘５を左側に位置させてから転動させると、左側に向きを変えながら転動する。転動速度を速くすると、直進慣性力が増し、左方向への傾きが緩やかであり、転動速度を遅くすると、直進慣性力が小さくなり、左方向への傾きが急激になる。また、ゲーム盤用ボール１は、図４（ｃ）に示すように、転動方向に対して錘５を右側に位置させてから転動させると、右側に向きを変えながら転動する。転動速度を速くすると、直進慣性力が増し、右方向への傾きが緩やかであり、転動速度を遅くすると、直進慣性力が小さくなり、右方向への傾きが急激になる。さらにまた、ゲーム盤用ボール１は、図４（ｂ）に示すように、転動方向に対して錘５を略中央に位置させてから転動させると、略真っ直ぐに転動する。錘５がボール本体２の後側に位置するときは転動速度が遅くなり、錘５がボール本体２の前側に位置するときは転動速度が速くなるので、転動速度が変化する。このように、ゲーム盤用ボール１は、錘５の位置と転動速度を変えることにより、様々な転動を行わせることができ、野球ゲーム盤、ボーリングゲーム盤等のボールゲーム盤に利用することができる。
【産業上の利用可能性】
【００２１】
本願発明は、転動方向及び転動速度を内部に収容した錘の位置及び転動速度により変化させることができ、野球ゲーム盤、ボーリングゲーム盤等のボールゲーム盤に利用可能である。
【符号の説明】
【００２２】
１  ゲーム盤用ボール
２  ボール本体
５  錘
１１  第１の半球体
１２  接合面
１３  係合穴部
１４  係合穴部
１５  収容凹部
１６  収容孔部
１７  底部
１８  第１の当接凹部
２１  第２の半球体
２２  接合面
２３  係合突起
２４  係合突起
２５  嵌合凸部
２７  先端面
２８  第２の当接凹部
【図１】
2012090797.tif 000003
【図２】
2012090797.tif 000004
【図３】
2012090797.tif 000005
【図４】
2012090797.tif 000006